(57)【要約】      （修正有）【課題】ツルとリム間の連結構造がより合理的で安定的であるメガネフレームを提供する。【解決手段】リム１の中央部に固設する２つのアーム２と、２個の連結部材３と、２本のツル４を含み、ツル４はそれぞれ連結部材３を介してリム１につながり、連結部材３は弾性係止具３１とソフトプラスチック製のセンターチューブとＣ型を呈している係止リングを含み、センターチューブは弾性係止具３１内に設けられ、ツル４は差込部と支持部を含み、センターチューブは差込部に嵌合し、支持部に近い差込部の片端にはセンターチューブの上端に当接する段部が設けられ、支持部から遠い差込部の片端には円周に沿って凹溝が設けられ、係止リングの内側環状部には切り欠きが設けられ、係止リングが凹溝内に係止し、且つ係止リングがセンターチューブの下端に当接している。【選択図】図１
0003225771.tif 000002
【実用新案登録請求の範囲】
【請求項１】
リム（1）と、リム（1）の中央部に固設する2つのアーム（2）と、2組の連結部材(3)と、2組のツル（4）を含み、
前記2組のツル（4）はそれぞれ2組の連結部材(3)を介してリム（1）につながり、前記連結部材(3)は弾性係止具（31）とソフトプラスチック製のセンターチューブ（32）とC型を呈している係止リング（33）を含み、
前記センターチューブ（32）は弾性係止具（31）内に設けられ、
前記ツル（4）は差込部（41）と支持部（42）を含み、前記センターチューブ（32）は差込部（41）に嵌合し、支持部（42）に近い前記差込部（41）の片端にはセンターチューブ（42）の上端に当接する段部（43）が設けられ、支持部（42）から遠い前記差込部（41）の片端には円周に沿って凹溝（44）が設けられ、
前記係止リング（33）の内側環状部には切り欠き（331）が設けられ、前記係止リング（33）が凹溝（44）内に係止し、且つ係止リング（33）がセンターチューブ（32）の下端に当接していることを特徴とするメガネフレーム。
【請求項２】
前記リム(1)には差込穴(11)が設けられ、前記弾性係止具(31)は弾性係止環状部(311)と弾性係止リング(311)の両側端からそれぞれ所定方向に延びている2本のピン(312)を含み、前記センターチューブ(32)は弾性係止環状部(311)内に設けられ、2本の前記ピン(312)は差込穴(11)に通されていることを特徴とする請求項1記載のメガネフレーム。
【請求項３】
前記弾性係止環状部(311)の側辺にツル(4)の可動範囲を制限するためのストッパー部(314)が一体成形されていることを特徴とする請求項2記載のメガネフレーム。
【請求項４】
前記支持部(42)にはストッパー部(314)にフィットする阻止部(421)が設けられていることを特徴とする請求項1記載のメガネフレーム。
【請求項５】
弾性係止環状部（311）から遠い前記ピン（312）の片端には係止ブロック（313）が固設されていることを特徴とする請求項2記載のメガネフレーム。
【請求項６】
前記段部(43)の横断面の外径は、弾性係止環状部(311)の内径より大きいことを特徴とする請求項2記載のメガネフレーム。
【請求項７】
前記係止リング（33）の外径は弾性係止環状部（311）の内径より大きいことを特徴とする請求項2記載のメガネフレーム。
【考案の詳細な説明】
【技術分野】
【０００１】
本考案はメガネ技術分野に関し、特にメガネフレームに関するものである。
【背景技術】
【０００２】
一部のネジレス構造のメガネフレームはリムとツルと弾性係止具からなり、具体的な連結方式として、弾性係止具内にセンターチューブを設置しており、センターチューブは弾性係止具内で回動可能で、弾性係止具をリムに差し込み、ツルの片端はセンターチューブを通し、最後にツルに係止リングを設けることによって、ツルの開閉操作を実現する。このような構造によって、ネジレス構造の取り付けを実現したが、依然として下記のような欠点がある。
【０００３】
1.ツルの頻繁な折り畳みに伴って、センターチューブはツルの縦方向に沿って滑りやすく、弾性係止具から抜け、メガネの正常な使用に影響する。
【０００４】
2.係止リングが硬いため、ツルの下端に引っかかると、無理に打ち込むと変形しやすく、弾性係止具の下端にしっかりと突き当たり、ツルの回転に影響する。
【考案の概要】
【考案が解決しようとする課題】
【０００５】
本考案の目的はツルとリムとの連結構造がより合理的で安定的なメガネフレームを提供し、背景技術に述べられた問題を解決することにある。
【０００６】
上述した目的を達成するため、本考案では下記のように提案する。
【課題を解決するための手段】
【０００７】
リムと、リムの中央部に固設する2つのアームと、2組の連結部材と、2組のツルを含むメガネフレームであって、前記2組のツルはそれぞれ2組の連結部材を介してリムにつながり、前記連結部材は弾性係止具とソフトプラスチック製のセンターチューブとC型を呈している係止リング（33）を含み、前記センターチューブは弾性係止具内に設けられ、前記ツルは差込部と支持部を含み、前記センターチューブは差込部に嵌合し、支持部に近い前記差込部の片端にはセンターチューブの上端に当接する段部が設けられ、支持部から遠い前記差込部の片端には円周に沿って凹溝が設けられ、前記係止リングの内側環状部には切り欠きが設けられ、前記係止リングが凹溝内に係止し、且つ係止リングがセンターチューブの下端に当接している。
【０００８】
さらに、前記リムには差込穴が設けられ、前記弾性係止具は弾性係止環状部の両側端からそれぞれ横方向に延びている2本のピンを含み、前記センターチューブは弾性係止環状部内に設けられ、2本の前記ピンは差込穴を通している。
【０００９】
さらに、前記弾性係止環状部の側辺にツルの可動範囲を制限するためのストッパー部が一体成形されている。
【００１０】
さらに、前記支持部にはストッパー部にフィットする阻止部が設けられている。
【００１１】
弾性係止環状部から遠い前記ピンの片端には係止ブロックが固設されている。
【００１２】
前記段部の横断面の外径は弾性係止環状部の内径より大きい。
【００１３】
前記係止リングの外径は弾性係止環状部の内径より大きい。
【考案の効果】
【００１４】
本考案の有益な効果は下記の通りである。
【００１５】
1.差込部に段部と切り欠きを設けることによって、係止リングを切り欠き内に設置した後、センターチューブの上端は段部に当接し、センターチューブの下端は係止リングに当接し、ツルは折りたたまれる過程において、段部と係止リングの当接によって、センターチューブはツルの縦方向に沿っては滑りにくく、弾性係止具の内部から抜けにくく、従来技術でセンターチューブをツルに直接嵌めることより、本考案の構造はより安定的である。
【００１６】
2.センターチューブの材質はソフトプラスチック材質であって、センターチューブと弾性係止具との間における摩擦力がより小さくなり、互いに回転しやすくなり、従来の金属製センターチューブと比べて、本考案でのセンターチューブの材質はより合理的である。
【００１７】
3.係止リングの内側環状部に切り欠きを設けることによって、係止リングのバヨネットにより良い拡張・収縮性能を持たせ、係止リングを凹溝に係入する時、係止リングのバヨネットがわずかに拡張される。係止リングを凹溝に係入した後、係止リングのバヨネットが自動に収縮し、係止リングのバヨネットに対して、ある程度の保護作用を果たし、無理に押し込まれたことによって係止リングのバヨネットが元に戻らないことを避ける。同時に、この係止リングはより良い拡張・収縮性能を有しているため、係止リングが凹溝に無理に打ち込まれた時に変形する確率をある程度低減させる。従来技術と比べて、本考案の設計はより合理的である。
【図面の簡単な説明】
【００１８】
【図１】本考案の実施形態の全体構造の斜視図である。
【図２】本考案の実施形態の全体構造の側面図である。
【図３】本考案の実施形態における弾性係止具によるツルとリムの連結構造の斜視図である。
【図４】本考案の実施形態における弾性係止具によるツルとリムの連結構造の斜視図である。
【図５】本考案の実施形態におけるツル、リム、センターチューブ、弾性係止具と係止リングの構造の分解立体図である。
【図６】本考案実施形態のメガネフレームのツルの構造の斜視図である。
【図７】本考案実施形態のツルの局所構造の斜視図である。
【図８】本考案実施形態のメガネフレームの係止リングの構造の斜視図である。
【図９】本考案実施形態におけるツルに係入された係止リングの構造の斜視図である。
【図１０】本考案実施形態の弾性係止具の構造イメージ図である。
【図１１】本考案実施形態におけるツル、センターチューブ、弾性係止具と係止リングを組み合わせた時の構造の見上げ図である。
【考案を実施するための形態】
【００１９】
以下は図面に基づいて本考案実施形態のメガネフレームを詳細に説明する。
【００２０】
図1〜図11に示すメガネフレームは、リム1と、リム1の中央部に固設された2つのアーム2と、2組の連結部材3と、2組のツル4と、を含み、2組のツル4はそれぞれ2組の連結部材3を介してリム1に連結されている。
【００２１】
連結部材3は、図3〜図11に示す通り、弾性係止具31と、ソフトプラスチック製のセンターチューブ32と、C型を呈している係止リング33とを含む。センターチューブ32は弾性係止具31内に設けられ、センターチューブ32と弾性係止具31との具体的な連結構造は下記の通りである。弾性係止具31は、図10に示す通り、弾性係止環状部311と、弾性係止環状部311の両側端からそれぞれ横方向に延びている2本のピン312を含む。センターチューブ32は弾性係止環状部311内に設けられ、弾性係止環状部311はセンターチューブ32の円筒面に巻きつけられる。センターチューブ32の材質はソフトプラスチックであって、センターチューブ32と弾性係止具31との間における摩擦力はより小さくなり、互いに回転しやすくなっている。
【００２２】
図5に示す通り、センターチューブ32の外側の円周面には円周に沿って外向きに突出する環状外周面321が設けられる。弾性係止環状部311は、環状内周面315で画定される貫通穴を有する。環状内周面315が環状外周面321にフィットする構造である。センターチューブ32が弾性係止環状部311内に装着された後、環状外周面321が環状内周面315内に係止される。センターチューブ32は弾性係止環状部311に対して回転する時、環状外周面321も貫通穴内で回転する。環状外周面321と環状内周面315の設計によって、センターチューブ32が、弾性係止環状部311内での偏りによる縦方向の滑りはある程度避けられる。
【００２３】
図6、図7に示すように、ツル4は差込部41と支持部42を含み、センターチューブ32は差込部41に嵌合する。支持部42に近い差込部41の片端にセンターチューブ32の上端に当接する段部43が設けられる。段部43は上部と下部とならなり、上部から下部にかけて縮径している。段部43の上部の横断面の外径は弾性係止環状部311の内径より大きく、支持部42から遠い差込部41の片端には円周に沿って凹溝44が設けられ、係止リング33は凹溝44に係合され、且つ係止リング33はセンターチューブ32の下端に当接する。係止リング33の外径は弾性係止環状部311の内径より大きく、段部43と係止リング33の当接によって、センターチューブ32はツル4に沿って縦方向に滑りにくく、弾性係止具31の内部から抜けにくく、ツル4の折り畳み操作はより安定的になる。
【００２４】
図8に示すように、係止リング33の内側環状部に切り欠き331を径方向に延び出させる。係止リング33のバヨネットにより、良好な拡張・収縮性能を持たせる。係止リング33を凹溝44に係入する時、係止リング33のバヨネットがわずかに拡張される。係止リング33を凹溝44に係入した後、係止リング33のバヨネットが自動に収縮し、係止リング33のバヨネットに対してある程度の保護作用を果たし、無理に押し込まれたことによって係止リング33のバヨネットが元に戻らないことを避ける。同時に、この係止リング33はより良い拡張・収縮性能を有しているため、係止リング33が凹溝44に無理に打ち込まれた時に変形する確率をある程度低減させる。
【００２５】
段部43の横断面の外径は弾性係止環状部311の内径より大きく、係止リング33の外径は弾性係止環状部311の内径より大きいため、弾性係止環状部311の上下両端も段部43と係止リング33の間に押し当てられ、ツル4が弾性係止環状部311に対して縦方向に揺れにくく、本考案の安定性能をある程度向上させている。
【００２６】
図5に示す通り、リム1には差込穴11が設けられ、2本のピン312が差込穴11を通される。図10に示す通り、弾性係止環状部311から遠い位置にある、ピン312の片端には、係止ブロック313が固設される。係止ブロック313は矢じり形状であり、外側に傾斜面を備え、段部が接続されている。ピン312が差込穴11を通すときに弾性によって縮径し、差込穴11を通過した後、弾性係止環状部311の弾性作用によって、2本のピン312が互いに拡開し、2本の係止ブロック313も互いに拡開し、差込穴11の側辺に係止され、弾性係止具31とリム1とは係合される。
【００２７】
図10、図11に示す通り、弾性係止環状部311の側辺から延び出し、ツル4の可動範囲を制限するためのストッパー部314が一体成形されている。図11に示す通り、支持部42にはストッパー部314にフィットする阻止部421が設けられる。阻止部421は、横方向の支持部42から縦方向に延び出していて、弾性係止環状部311、センターチューブ32、支持部41のそれぞれの高さと対応する高さに設定されている。阻止部421の延伸方向が弾性係止環状部311、センターチューブ32、支持部41の軸方向と平行である。ツル4とリム1との間の角度が約90度である場合、メガネをかけるのに便利な角度である。ストッパー部314と阻止部421を設置したのは主にツル4が開きすぎることを防止するためである。
【００２８】
動作原理としては、差込部41をセンターチューブ32に差し込み、センターチューブ32の上部を段部43の上部の辺に当接させ、係止リング33を凹溝44内に係止した時、係止リング33の上面はセンターチューブ32の下端に当接し、センターチューブ32を弾性係止環状部311内に保持することができる。ピン312を差込穴11内に設けると、本考案の組み立てが完成している。使用者は必要に応じてツル4を開いたり、折りたたんだりすることができる。
【００２９】
以上は本考案の技術範囲を制限するものではなく、本実施形態は、例示であり、本発明の技術思想を逸脱しない範囲で改変できることは勿論である。本考案に述べられた技術によって、実質的に以上の実施例に対するいかなる修正、同等的な変更と改善はいずれも本考案の技術提案の範囲に属する。
【符号の説明】
【００３０】
1            リム
2            アーム
3            連結部材
4            ツル
11          差込穴
31          弾性係止具
32          センターチューブ
33          係止リング
41          差込部
42          支持部
43          段部
44          凹溝
311        弾性係止環状部
312        ピン
313        係止ブロック
314        ストッパー部
315        環状内周面
321        環状外周面
331        切り欠き
421        阻止部
【図１】
0003225771.tif 000003
【図２】
0003225771.tif 000004
【図３】
0003225771.tif 000005
【図４】
0003225771.tif 000006
【図５】
0003225771.tif 000007
【図６】
0003225771.tif 000008
【図７】
0003225771.tif 000009
【図８】
0003225771.tif 000010
【図９】
0003225771.tif 000011
【図１０】
0003225771.tif 000012
【図１１】
0003225771.tif 000013
【手続補正書】
【提出日】令和2年2月3日(2020.2.3)
【手続補正１】
【補正対象書類名】実用新案登録請求の範囲
【補正対象項目名】全文
【補正方法】変更
【補正の内容】
【実用新案登録請求の範囲】
【請求項１】
リム（1）と、リム（1）の中央部に固設する2つのアーム（2）と、2個の連結部材(3)と、2本のツル（4）を含み、
前記ツル（4）はそれぞれ連結部材(3)を介してリム（1）につながり、前記連結部材(3)は弾性係止具（31）とソフトプラスチック製のセンターチューブ（32）とC型を呈している係止リング（33）を含み、
前記センターチューブ（32）は弾性係止具（31）内に設けられ、
前記ツル（4）は差込部（41）と支持部（42）を含み、前記センターチューブ（32）は差込部（41）に嵌合し、支持部（42）に近い前記差込部（41）の片端にはセンターチューブ（42）の上端に当接する段部（43）が設けられ、支持部（42）から遠い前記差込部（41）の片端には円周に沿って凹溝（44）が設けられ、
前記係止リング（33）の内側環状部には切り欠き（331）が設けられ、前記係止リング（33）が凹溝（44）内に係止し、且つ係止リング（33）がセンターチューブ（32）の下端に当接していることを特徴とするメガネフレーム。
【請求項２】
前記リム(1)には差込穴(11)が設けられ、前記弾性係止具(31)は弾性係止環状部(311)と弾性係止環状部(311)の両側端からそれぞれ所定方向に延びている2本のピン(312)を含み、前記センターチューブ(32)は弾性係止環状部(311)内に設けられ、2本の前記ピン(312)は差込穴(11)に通されていることを特徴とする請求項1記載のメガネフレーム。
【請求項３】
前記弾性係止環状部(311)の側辺にツル(4)の可動範囲を制限するためのストッパー部(314)が一体成形されていることを特徴とする請求項2記載のメガネフレーム。
【請求項４】
前記支持部(42)にはストッパー部(314)にフィットする阻止部(421)が設けられていることを特徴とする請求項1記載のメガネフレーム。
【請求項５】
弾性係止環状部（311）から遠い前記ピン（312）の片端には係止ブロック（313）が固設されていることを特徴とする請求項2記載のメガネフレーム。
【請求項６】
前記段部(43)の横断面の外径は、弾性係止環状部(311)の内径より大きいことを特徴とする請求項2記載のメガネフレーム。
【請求項７】
前記係止リング（33）の外径は弾性係止環状部（311）の内径より大きいことを特徴とする請求項2記載のメガネフレーム。
【手続補正２】
【補正対象書類名】明細書
【補正対象項目名】０００７
【補正方法】変更
【補正の内容】
【０００７】
リムと、リムの中央部に固設する2つのアームと、2個の連結部材と、2本のツルを含むメガネフレームであって、前記ツルはそれぞれ連結部材を介してリムにつながり、前記連結部材は弾性係止具とソフトプラスチック製のセンターチューブとC型を呈している係止リング（33）を含み、前記センターチューブは弾性係止具内に設けられ、前記ツルは差込部と支持部を含み、前記センターチューブは差込部に嵌合し、支持部に近い前記差込部の片端にはセンターチューブの上端に当接する段部が設けられ、支持部から遠い前記差込部の片端には円周に沿って凹溝が設けられ、前記係止リングの内側環状部には切り欠きが設けられ、前記係止リングが凹溝内に係止し、且つ係止リングがセンターチューブの下端に当接している。
【手続補正３】
【補正対象書類名】明細書
【補正対象項目名】００２０
【補正方法】変更
【補正の内容】
【００２０】
図1〜図11に示すメガネフレームは、リム1と、リム1の中央部に固設された2つのアーム2と、2個の連結部材3と、2本のツル4と、を含み、ツル4はそれぞれ連結部材3を介してリム1に連結されている。